(57)【要約】【課題】  大型の樹木等を用いて良好に屋上を緑化できる緑化セットを提供する。【解決手段】  アルミニウム材を組み立てて、上面開放の方形枠状に形成された枠体３と、この枠体３内に収納される樹木等を入れるポット１３と、枠体３の少なくとも側面に覆設される木製の外装材で構成され、ポット１３には、樹木の根鉢を締め付け固定して、樹木の倒れを防ぐことのできるベルト１４が設けられている。【選択図】  図４
2005102607.tif 000002
【特許請求の範囲】
【請求項１】
アルミニウム材を組み立てて上面開放の方形枠状に形成された枠体と、該枠体内に収納される樹木等を入れたポットと、前記枠体の少なくとも側面に覆設される木製の外装材で構成されていることを特徴とする屋上緑化セット。
【請求項２】
前記枠体には、上下方向の固定位置を可変できる底板が設けられていることを特徴とする請求項１に記載の屋上緑化セット。
【請求項３】
前記ポットには、樹木の根鉢を締め付け固定できるベルトが設けられていることを特徴とする請求項１または請求項２に記載の屋上緑化セット。
【発明の詳細な説明】
【技術分野】
【０００１】
本発明は、ビルの屋上を良好に緑化できる屋上緑化セットに関するものである。
【背景技術】
【０００２】
従来、例えば特許文献１に開示されているような屋上緑化システムが存在する。
【特許文献１】特開２００３−１０２２５７号公報
【発明の開示】
【発明が解決しようとする課題】
【０００３】
上記屋上緑化システムでは、草花等の小型の植物で緑化することはできるが、大型の樹木等を用いて緑化することは困難であるという問題点があった。
【課題を解決するための手段】
【０００４】
本発明は上記従来の問題点に鑑み案出したものであって、屋上に大型の樹木等を良好に配置させて、良好に屋上を緑化できる屋上緑化セットを提供せんとするものであり、請求項１は、アルミニウム材を組み立てて上面開放の方形枠状に形成された枠体と、該枠体内に収納される樹木等を入れたポットと、前記枠体の少なくとも側面に覆設される木製の外装材で構成されていることである。
【０００５】
また請求項２は、前記枠体には、上下方向の固定位置を可変できる底板が設けられていることである。
また請求項３は、前記ポットには、樹木の根鉢を締め付け固定できるベルトが設けられていることである。
【発明の効果】
【０００６】
本発明は、アルミニウム材を組み立てて上面開放の方形枠状に形成された枠体と、枠体内に収納される樹木等を入れたポットと、枠体の少なくとも側面に覆設される木製の外装材で構成されていることにより、屋上にバラバラにした状態で搬送して、屋上において枠体を組み立て、この枠体内に、樹木を入れたポットを収納させて、大型の樹木を安定した状態で屋上に配置することができ、しかも、枠体の側面を外装材で覆蓋して美観に優れた屋上庭園を構築することができるものとなる。
【０００７】
また、枠体には、上下方向の固定位置を可変できる底板が設けられていることにより、底板の上下高さを変更させることにより、枠体内に、大型のポットを収納して、大型の樹木を配置させることもでき、また、底板を上げることにより、小型のポットを枠体内に複数入れて、小型のポット内に草花等や小型の樹木を良好に入れ、変化に富んだ屋上庭園を構築することができるものとなる。
【０００８】
また、ポットには、樹木の根鉢を締め付け固定できるベルトが設けられていることにより、ベルトにより大型の樹木の根鉢を締め付けて樹木の倒れを良好に防ぐことができ、大型の樹木であっても安定した状態で屋上に設置できるものとなる。
【実施例】
【０００９】
以下、本発明の実施例を図面に基づいて説明する。
図１は、大型の樹木を入れた緑化セットの外観斜視図である。
緑化セット１は、図２に示すような枠体３と、この枠体３の側面外周に取り付けられる図３に示すような外装材８と、枠体３内に収納される図４および図５に示すようなポットを主体として構成されている。
【００１０】
先ず、図２において枠体３を説明すると、この枠体３は、アルミニウム製のアングル材を組み立てて、上面開放の方形枠状に形成することができるものであり、四隅にそれぞれ縦方向に縦アングル４，４，４，４が配置されて、この縦アングル４，４，４，４の上面に、上面アングル５，５，５，５が固定されており、この各上面アングル５にはボルト孔５ａが上下に貫通形成されている。
【００１１】
また、上面アングル５の下方には、それぞれ縦アングル４，４，４，４に連結されて、横方向に横バー６，６，６，６が組み付けられており、その下方側に、４本の縦アングル４，４，４，４内に底板７が取り付けられている。この底板７は上下の取り付け位置を変更できるものである。底板７もアルミニウム製で構成されており、その外周には、上方へ一体状に立ち上げて立上片７ａ，７ａ，７ａ，７ａが形成されている。
【００１２】
なお、この枠体３は各部材をボルトで連結して組み立てることができ、組み立てた状態では、一辺の長さが、例えば５８０mmの正方形状を成し、その高さ寸法は３６５mm程度となるように設定されている。
なお、底板７の中央部には、上下に貫通して５０〜８０mm程度の直径を成す底穴７ｂが形成されている。
【００１３】
次に、この組み立てた枠体３の側面外周に取り付けられる外装材８を図３に基づいて説明する。
外装材８は、複数本の間伐材９，９，９を連結して構成されたものであり、間伐材９は、丸太状の間伐材を半分に切断して断面半円状にし、その表面を焼いて、手に炭が付かない程度に表面を磨き上げて形成したものであり、複数本の間伐材９をそれぞれ立設させて裏側には連結用に連結アングル１０と、その下方に連結バー１１が取り付けられて、横方向につなげたものであり、連結アングル１０には上下方向にボルト孔１０ａが複数貫通形成されている。
【００１４】
なお、連結バー１１の下方には、Ｌ字状の引掛け部材１２，１２が設けられている。なお、この外装材８の高さ寸法は、例えば４００〜４３０mm程度に設定されている。
この外装材８を枠体３の側面に取り付けるには、連結アングル１０を枠体３の上面アングル５上に載せて、ボルト孔５ａとボルト孔１０ａを整合させてボルトで連結して取り付けることができるものあり、引掛け部材１２，１２は底板７の外周の立上片７ａに引掛けて固定できるものである。
【００１５】
次に、枠体３内に収納されるポット１３は、図５に示すように、大型の樹木２を入れることのできる５０角に形成されており、底側の四隅には底孔１３ａ，１３ａ，１３ａ，１３ａが貫通形成されており、また、複数の水切り用のスリット１３ｂ，１３ｂ，１３ｂ，１３ｂが、底側のコーナー部に縦方向に切り込み形成されている。
また、ポットの上面には鍔部１３ｃが一体形成されている。
このポット１３の底孔１３ａ，１３ａ，１３ａ，１３ａ内にベルト１４を通して、ベルト１４を底側に回し、両端側を上方へ回して、十字状に配置した２本のベルト１４，１４で、樹木２の根鉢を巻いて、強固にベルト１４，１４を締め付けて、ポット１３内に樹木２の根鉢を固定することができるように構成されており、ベルト１４，１４を締め付けて固定した状態では、樹木２の倒れが完全に防がれるものである。その後に、ポット１３内には土１８が入れられるのである。
【００１６】
樹木２の根鉢をベルト１４で固定し、土を入れてから、ポット１３全体を枠体３内に入れると、この状態では、図４のように、枠体３の上面アングル５よりも上に、ポットの鍔部１３ｃが配置されることとなる。
その後に、枠体３の外周に、前述した如く、外装材８を取り付け、その後に、図６に示すような押え木１５を、枠体３の上面アングル５上に皿ネジ１６で取り付けて、押え木１５により、ポットの鍔部１３ｃを上面アングル５に固定し、上面アングル５の上面を押え木１５で良好に覆蓋できるものである。
【００１７】
この押え木１５も、表面を焼いて、その後に磨きをかけて化粧処理されたものであり、皿ネジ１６を通すためのネジ孔１５ａ，１５ａが所定間隔で形成されており、一方の枠体３の上面アングル５には、皿ネジ１６を締め付けることのできるネジを切ったネジ孔５ｂを形成させておくことができる。
最終的には図１のような外観状態となり、枠体３は外装材８と押え木１５で隠蔽された状態となり、外観は、焼き磨き処理された木質の古びた感じとなる。
【００１８】
次に、図７では、前述した枠体３の底板７を、上方位置に取り付けて、横バー６を下方へ下げて取り付けたものであり、この状態では底板７の位置が高くなり、底板７上に、小型の小型ポット１７，１７，１７，１７を４個載せて、４個の小型ポット１７，１７，１７，１７を枠体３内に収納させることができるものとなる。
この場合に、枠体３の上面アングル５上には、アルミニウム製の上面板１９を被せて取り付けることができるものである。
上面板１９には、４個の小型ポット１７，１７，１７の上面の開口と整合する位置に、大径の貫通穴１９ａ，１９ａ，１９ａ，１９ａが４個形成されており、外周には、上面アングル５にボルトで取り付けるためのネジ孔１９ｂが設けられている。
【００１９】
この４個の小型ポット１７，１７，１７，１７内には、小型の樹木を入れたり、また、草花等を入れることができるものである。
このように枠体３内に、大型の樹木２を入れたり、小型の樹木や草花を入れ、この緑化セット１を複数用意して屋上に列設させて、任意のレイアウトの庭園を形成させることができるものである。
例えば、図８に示すように、高さの異なる枠体３を複数用意して列設させることにより、階段状の庭園とすることができるものである。
【００２０】
次に、図９は枠体の変更例を示すものであり、この図９の枠体３は、４本の縦アングル４，４，４，４間に、上面側には上バー５１が取り付けられており、その下方に横バー６が組み付けられており、底面側には、外周に下アングル２１が４本固定されて、この下アングル２１の中央部に底バー２２が取り付けられ、底バー２２と平行状に、その左右側方に一対の底アングル２３，２３が取り付けられた構造となっている。
この左右の底アングル２３，２３間に、大型のポット１３の底面を載置させて、枠体３内に大型のポット１３を良好に収納できるものである。
図９では底板が存在せず、底板の代わりに底アングル２３，２３および底バー２２が用いられて強度が確保されており、より大型の樹木２を収納できるものとなる。
【００２１】
なお、図１０は、図９の枠体３の側面外周に取り付けられる外装材８と、上面に取り付けられる押え木１５の分解斜視図である。
外装材８の裏側には、連結バー１１，１１が平行状に設けられており、上方側には引掛け金具２４，２４が取り付けられ、下端側にはＬ字状の下金具２５が取り付けられている。
引掛け金具２４，２４は、枠体３の上バー５１に引掛けて固定することができ、また下金具２５は下アングル２１に連結できるものである。
【００２２】
また、押え木１５の両端側には、下面を切り欠いた下切欠部１５ｂと、上面を切り欠いた上切欠部１５ｃが形成されており、この部分に、それぞれネジ孔１５ａ，１５ａが形成されている。
押え木１５，１５を組み合わせる際に、一方側の押え木１５の下切欠部１５ｂを、他方側の押え木１５の上切欠部１５ｃ上に重ね合わせて、井桁状に美観を呈して組み付けできるように構成されている。
【００２３】
次に、図１１で示す枠体３は、小型のポットを収納するための枠体の変更例である。
即ち、図１１では、図９に示した横バー６を下端側に組み付け、逆に下アングル２１を、上方の高さ調節ボルト孔４ａに組み付けて、高い位置に配置したものであり、外周を形成する４本の下アングル２１内には、外側に一対の底アングル２３，２３が組み付けられ、更にその内側には、平行状に２本の底中央アングル２６，２６が背中合わせに組み付けられたものである。
【００２４】
このような枠体３においては、図１２の平面図で、また図１３の側面断面図で示すように、底アングル２３と底中央アングル２６間に、小型のポット１７の底面を載置させることができ、底アングル２３，２３，底中央アングル２６，２６間で４個のポット１７，１７，１７，１７を支持できるものである。ポット１７の上端の鍔部１７ａは、上アングル５に引掛け状態に収納でき、安定させて収納できるものである。
【００２５】
即ち、図１１の枠体３では、上アングル５は、図２とは逆向きに組み付けられたものである。このような枠体３では、底アングル２３，２３と底中央アングル２６，２６で強固に４個のポット１７，１７，１７，１７を支持することができ、より強度が確保されたものとなる。
【図面の簡単な説明】
【００２６】
【図１】樹木を入れた緑化セットの外観斜視構成図である。
【図２】緑化セットを構成する枠体の斜視構成図である。
【図３】枠体の外周に取り付けられる外装材の斜視構成図である。
【図４】枠体内にポットを収納した状態の斜視構成図である。
【図５】ポットの斜視構成図である。
【図６】枠体の上面に取り付けられる押え木の斜視構成図である。
【図７】小型のポットを４個収納させた枠体の斜視構成図である。
【図８】高さの異なる枠体を階段状に列設させたレイアウトの一例を示す斜視構成図である。
【図９】大型ポット用の枠体の変更例を示す斜視構成図である。
【図１０】図９の枠体の外周および上面に取り付けられる外装材と押え木の分解斜視図である。
【図１１】小型ポット用の枠体の変更例を示す斜視構成図である。
【図１２】図１１の枠体内に４個のポットを収納させた状態の平面構成図である。
【図１３】図１２の側面断面構成図である。
【符号の説明】
【００２７】
１  緑化セット
２  樹木
３  枠体
４  縦アングル
５  上面アングル
５ａ  ボルト孔
５ｂ  ネジ孔
６  横バー
７  底板
７ａ  立上片
７ｂ  底穴
８  外装材
９  間伐材
１０  連結アングル
１０ａ  ボルト孔
１１  連結バー
１２  引掛け部材
１３  ポット
１３ａ  底穴
１３ｂ  スリット
１３ｃ  鍔部
１４  ベルト
１５  押え木
１５ａ  ネジ孔
１６  皿ネジ
１７  小型ポット
１７ａ  鍔部
１８  土
１９  上面板
１９ａ  貫通穴
１９ｂ  ネジ孔
２１  下アングル
２２  底バー
２３  底アングル
２６  底中央アングル
５１  上バー
【図１】
2005102607.tif 000003
【図２】
2005102607.tif 000004
【図３】
2005102607.tif 000005
【図４】
2005102607.tif 000006
【図５】
2005102607.tif 000007
【図６】
2005102607.tif 000008
【図７】
2005102607.tif 000009
【図８】
2005102607.tif 000010
【図９】
2005102607.tif 000011
【図１０】
2005102607.tif 000012
【図１１】
2005102607.tif 000013
【図１２】
2005102607.tif 000014
【図１３】
2005102607.tif 000015